【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
水中カメラのハウジングに固定するための搭載ベースを含んでいる防水性ハウジング、
フラッド光LEDおよびスポット光LEDを含む、前記ハウジングの前方から投光するための前記ハウジング中に搭載された複数のLED,
前記フラッド光LEDおよびスポット光LEDを別々に駆動するように配設された前記フラッド光LEDおよびスポット光LEDのための前記ハウジング中のドライバー回路、
フラッド光LEDからの光をフラッド光としてまたスポット光LEDからの光をスポット光として方向付けるためLEDの前方に位置付けられている光学系、
そこを通して選択されたフラッド光LEDあるいはスポット光LEDの光が前方の方向に投光される前記ハウジングの前方の窓、
電源、および
前記電源からのパワーを前記LEDへスイッチオンしそして前記フラッド光LEDあるいはスポット光LEDに選択的にパワーを与えるように、機能的に接続された前記ハウジングの外側上のスイッチを、有する、ダイバー用水中ライト。
【請求項２】
前記スイッチは、スイッチカバー上を摺動するため前記ハウジングの外側に位置付けられた外側から手で操作されるスライド部材を備えたスライドスイッチを有しており、前記スライド部材は、休止方向にばねでバイアスがかけられており、前記ハウジングは前記スライド部材およびスイッチカバーの下でかつそれらと独立して水シールされており、前記スライド部材には磁石が接続されており、かつ前記スイッチは、前記ハウジング中の内側のシールされた空間に、前記磁石の動きを検出し、パワーのオン、オフおよびフラッド光とスポット光間の選択を実行するため前記回路中に磁気ピックアップを含んでいる、請求項１に記載のダイバー用水中ライト。
【請求項３】
前記ハウジング中には、前記ドライバーおよび前記磁気ピックアップを備えた印刷回路ボードが含まれている、請求項２に記載のダイバー用水中ライト。
【請求項４】
前記スライドスイッチは、それが休止位置にある時、前記手で操作されるスライド部材を９０o回転することによって係合するロックアウト機能を含み、このロックアウト機能はこの水中ライトの意図しないスイッチングを阻止するのに有効である、請求項２に記載のダイバー用水中ライト。
【請求項５】
前記スイッチは、多くの光のパワーレベル間の選択機能を含んでいる、請求項２に記載のダイバー用水中ライト。
【請求項６】
前記光学系は、前記LEDの前方でかつ前記LEDからの光の通路中にあるように位置付けられた一連の円錐形の反射体穴を有している、請求項１に記載のダイバー用水中ライト。
【請求項７】
さらに、ハウジングの外側にフラッド光のパワーレベルを表示する表示灯を有する、請求項６に記載のダイバー用水中ライト。
【請求項８】
前記ハウジングは、ケースおよび窓を保持する斜面溝を備えたカバーを有しており、前記斜面溝は、ケース上のねじ溝を介して前記ケースに固定するためのねじ溝を有している、請求項７記載のダイバー用水中ライト。
【請求項９】
前記フラッド光LEDは、前記ハウジングの前方にリング状の列の状態で位置付けられており、また前記スポット光LEDは、前記リング状の列の中央に密集した中央群の状態で位置付けられている、請求項１に記載のダイバー用水中ライト。
【請求項１０】
前記フラッド光LEDは、約６０oの発散角度を生成する光学系を有している、請求項１に記載のダイバー用水中ライト。
【請求項１１】
前記スポット光LEDは、約８oから１７oの発散角度を生成する光学系を有している、請求項１に記載のダイバー用水中ライト。
【請求項１２】
水中カメラのハウジングに固定するための搭載ベースを含んでいる防水性ハウジング、
第1のLEDの第1の列および第２のLEDの第２の列を含む、前記ハウジングの前方から投光するための前記ハウジング中に搭載された複数のLED,
前記第1のLEDおよび第２のLEDを別々に駆動するように配設された前記第1のLEDおよび第２のLEDのための前記ハウジング中のドライバー回路、
前記第1のLEDからの第1のタイプの光を方向付けるため前記第1のLEDの前方に位置付けられている第1の光学系、および前記第２のLEDからの第２のタイプの光を方向付けるため前記第２のLEDの前方に位置付けられている第２の光学系、
そこを通して選択された第1のLEDあるいは第２のLEDの光が前方の方向に投光される前記ハウジングの前方の窓、
ハウジング前方の窓を通して指示ビームを投光するためハウジング上に搭載されたレーザー装置を含む、選択可能なハウジング中のレーザービーム投光器、
電源、および
前記電源からのパワーを前記LEDあるいはレーザー装置へスイッチオンし、そして希望に応じて前記第1のタイプの光あるいは前記第２のタイプの光あるいはレーザービームを投光するため前記第1のLEDあるいは前記第２のLEDあるいはレーザー装置に選択的にパワーを与えるように、機能的に接続された前記ハウジングの外側上のスイッチを、有する、ダイバー用水中ライト。
【請求項１３】
前記スイッチは、スイッチカバー上を摺動するため前記ハウジングの外側に位置付けられた外側から手で操作されるスライド部材を備えたスライドスイッチを有しており、前記スライド部材は、休止方向にばねでバイアスがかけられており、前記ハウジングは前記スライド部材およびスイッチカバーの下でかつそれらと独立して水シールされており、前記スライド部材には磁石が接続されており、かつ前記スイッチは、前記ハウジング中の内側のシールされた空間に、前記磁石の動きを検出し、パワーのオン、オフおよび前記第1のタイプの光と前記第２のタイプの光間の選択を実行するため前記回路中に磁気ピックアップを含んでいる、請求項１２に記載のダイバー用水中ライト。
【請求項１４】
前記ハウジング中には、前記ドライバーおよび前記磁気ピックアップを備えた印刷回路ボードが含まれている、請求項１３に記載のダイバー用水中ライト。
【請求項１５】
前記スライドスイッチは、それが休止位置にある時、前記手で操作されるスライド部材を９０o回転することによって係合するロックアウト機能を含み、このロックアウト機能はこの水中ライトの意図しないスイッチングを阻止するのに有効である、請求項１３に記載のダイバー用水中ライト。
【請求項１６】
前記ハウジング中には、LEDドライバー印刷回路ボードが含まれており、ここで前記レーザー装置は前記LEDドライバー印刷回路ボード上に搭載されている、請求項１２に記載のダイバー用水中ライト。
【請求項１７】
前記LEDを備えたLED回路ボードを含んでおり、前記LED回路ボードは、前記レーザー装置からのレーザービームを通過させるため開口しており、前記レーザー装置は前記LED回路ボードの背後に搭載されている、請求項１２に記載のダイバー用水中ライト。
【請求項１８】
前記第1および第２のタイプの光の一つは、青色光である、請求項１２に記載のダイバー用水中ライト。
【請求項１９】
水中カメラのハウジングに固定するための搭載ベースを含んでいる防水性ハウジング、
前記ハウジングの前方から投光するための前記ハウジング中に搭載された複数の列状のLED,
前記LED列のための前記ハウジング中のドライバー回路、
前記LEDからの照明光を方向付けるため前記LEDの前方に位置付けられている光学系、
そこを通してLEDの光が前方の方向に投光される前記ハウジングの前方の窓、
ハウジングの前方の窓を通してレーザーの指示ビームを投光するための前記ハウジング中に搭載されたレーザー装置、
電源、および
希望に応じて、前記LED照明光あるいはレーザーの指示ビームを投光するため前記LEDあるいは前記レーザー装置に選択的にパワーを与えるためパワーをスイッチオンするように、機能的に接続された前記ハウジングの外側上のスイッチを、有する、ダイバー用水中ライト。
【請求項２０】
前記LEDを備えたLED回路ボードを含んでおり、前記LED回路ボードは、前記レーザー装置からのレーザービームを通過させるため開口しており、前記レーザー装置は前記LED回路ボードの背後に搭載されている、請求項１９に記載のダイバー用水中ライト。